(57)【特許請求の範囲】
【請求項１】
ＩＰネットワークを介してファクシミリ通信するＩＰファクシミリ通信部と、
前記ＩＰファクシミリ通信部によるファクシミリ通信の通信先としてファクシミリ装置の宛先情報の入力を受け付ける宛先情報受付部と、
前記ファクシミリ装置に備えられた電話機との間でＩＰネットワークを介して音声通信するＩＰ電話機と、
前記宛先情報受付部で受け付けられた宛先情報が示すファクシミリ装置との間での前記ＩＰファクシミリ通信部によるファクシミリ通信の開始指示を受け付ける開始指示受付部と、
前記ＩＰファクシミリ通信部によるファクシミリ通信の通信速度を計測する通信速度計測部と、
通信先のファクシミリ装置の宛先情報と、当該通信先のファクシミリ装置が電話回線網を介してファクシミリ通信する回線網ファクシミリ装置及びＩＰネットワークを介してファクシミリ通信するＩＰファクシミリ装置のうちの何れのファクシミリ装置であるかを示す通信方式情報と、を対応付けて記憶する通信方式記憶部と、
前記通信速度計測部で計測されたファクシミリ通信の通信速度が予め定められた速度閾値よりも高速である場合は、当該通信先のファクシミリ装置の宛先情報とＩＰファクシミリ装置であることを示す通信方式情報とを対応付けて前記通信方式記憶部に記憶し、前記通信速度計測部で計測されたファクシミリ通信の通信速度が前記速度閾値よりも低速である場合は、当該通信先のファクシミリ装置の宛先情報と回線網ファクシミリ装置であることを示す通信方式情報とを対応付けて前記通信方式記憶部に記憶する通信方式記憶制御部と、
前記ＩＰ電話機による音声通信中に、前記開始指示受付部によってファクシミリ通信の開始指示が受け付けられた場合に、過去のファクシミリ通信時に前記通信方式記憶制御部によって前記通信方式記憶部に記憶された、当該ファクシミリ通信の通信先の宛先情報に対応する通信方式情報が回線網ファクシミリ装置を示すときは、当該音声通信の終了後、前記ＩＰファクシミリ通信部にファクシミリ通信させ、
通信方式記憶部に記憶されている、当該ファクシミリ通信の通信先の宛先情報に対応する通信方式情報がＩＰファクシミリ装置を示すときは、当該音声通信を継続し、前記ＩＰファクシミリ通信部にファクシミリ通信させる手動送信制御部と、
を備えるＩＰファクシミリ装置。
【請求項２】
前記開始指示受付部は、更に、前記宛先情報受付部で宛先情報が受け付けられることがないまま、前記ＩＰファクシミリ通信部によるファクシミリ通信の開始指示を受け付け、
前記手動送信制御部は、前記ＩＰ電話機による音声通信中に、前記宛先情報受付部で宛先情報が受け付けられることがないまま、前記開始指示受付部によってファクシミリ通信の開始指示が受け付けられた場合は、当該音声通信先の電話機を備えたファクシミリ装置の宛先情報を、当該ファクシミリ通信の通信先の宛先情報として設定する請求項１に記載のＩＰファクシミリ装置。
【発明の詳細な説明】
【技術分野】
【０００１】
本発明は、ＩＰネットワークを介してファクシミリ通信及び音声通信可能なＩＰファクシミリ装置に関する。
【背景技術】
【０００２】
従来から、下記特許文献１に示すように、ＩＴＵ−Ｔ勧告Ｔ．３０に準拠して電話回線網を介してファクシミリ通信を行う、例えばＧ３（Group3）ファクシミリ装置等の回線網ファクシミリ装置は、電話回線網を介した音声通信中（通話中）に、当該通信先（通話先）に対するファクシミリ送信の開始指示を入力し、当該音声通信後（通話後）に当該入力されていた開始指示に従ってファクシミリ通信を開始する手動送信機能を有している。
【０００３】
これと同様にして、ＩＴＵ−Ｔ勧告Ｔ．３８に準拠してＩＰ（Internet Protocol）ネットワークを介してファクシミリ通信を行うＩＰファクシミリ通信装置においても、相手先との通話中に、ＩＰネットワークを介したファクシミリ通信の開始指示を入力し、当該通話後に当該入力されていた開始指示に従ってファクシミリ通信を開始する手動送信機能が提案されている。
【０００４】
また、ＩＰファクシミリ装置では、当該ＩＰファクシミリ装置に備えられたＩＰ電話機によって通話しながら、つまり、ＩＰネットワークを介して音声信号を示すデータパケットを送受信することによって音声通信しながら、ＩＰネットワークを介して画像データを示すデータパケットを送受信するファクシミリ通信を行うことが可能であるため、回線網ファクシミリ装置における手動送信機能に比して、音声通信とファクシミリ通信とを同時に実行できる点で利便性が向上された手動送信機能を有することが可能である。
【０００５】
ただし、ＩＰファクシミリ装置において回線網ファクシミリ装置に備えられた電話機との間で通話している場合に、当該通話先の回線網ファクシミリ装置に画像データを示すデータパケットを送信する手動送信を行うときは、当該通話先の回線網ファクシミリ装置において当該通話のために電話回線網が利用されているため、ＩＰファクシミリ装置から画像データを示すデータパケットを送信したとしても、当該回線網ファクシミリ装置は、ＩＰネットワークに接続された電話回線網を介して当該送信されたデータパケットを受信することはできなかった。
【０００６】
つまり、回線網ファクシミリ装置との間でＩＰファクシミリ装置における手動送信を行う場合には、当該回線網ファクシミリ装置に対する通話を終了した後に、ファクシミリ通信を行う必要があった。
【０００７】
そこで、通信先のファクシミリ装置の宛先情報に対応付けて当該ファクシミリ装置がＩＰファクシミリ装置及び回線網ファクシミリ装置のうちの何れのファクシミリ装置であるかを示す通信方式情報をユーザーが予め記憶部に記憶しておき、ＩＰファクシミリ装置において手動送信を行う場合に、当該記憶部に記憶されている通信先のファクシミリ装置の宛先情報に対応付けられた通信方式情報がＩＰファクシミリ装置又は回線網ファクシミリ装置の何れを示すものであるかに応じて、手動送信する際の通話を継続するか終了するかを即座に決定することが考えられた。
【先行技術文献】
【特許文献】
【０００８】
【特許文献１】特開２００７−３３６１６１号公報
【発明の概要】
【発明が解決しようとする課題】
【０００９】
しかしながら、上記の場合、通信先のファクシミリ装置の宛先情報と対応付けて、当該ファクシミリ装置がＩＰファクシミリ装置及び回線網ファクシミリ装置のうちの何れのファクシミリ装置であるかを示す通信方式情報をユーザーが予め記憶部に記憶するための手間が必要であった。
【００１０】
そこで、本発明は、このような事情に鑑みてなされたものであり、通信先のファクシミリ装置の通信方式情報を効率よく記憶することができ、当該記憶された通信方式情報を用いて回線網ファクシミリ装置における手動送信に比して利便性が向上された手動送信を実行することができるＩＰファクシミリ装置を提供することを目的とする。
【課題を解決するための手段】
【００１１】
請求項１に記載の発明は、ＩＰネットワークを介してファクシミリ通信するＩＰファクシミリ通信部と、
前記ＩＰファクシミリ通信部によるファクシミリ通信の通信先としてファクシミリ装置の宛先情報の入力を受け付ける宛先情報受付部と、
前記ファクシミリ装置に備えられた電話機との間でＩＰネットワークを介して音声通信するＩＰ電話機と、
前記宛先情報受付部で受け付けられた宛先情報が示すファクシミリ装置との間での前記ＩＰファクシミリ通信部によるファクシミリ通信の開始指示を受け付ける開始指示受付部と、
前記ＩＰファクシミリ通信部によるファクシミリ通信の通信速度を計測する通信速度計測部と、
通信先のファクシミリ装置の宛先情報と、当該通信先のファクシミリ装置が電話回線網を介してファクシミリ通信する回線網ファクシミリ装置及びＩＰネットワークを介してファクシミリ通信するＩＰファクシミリ装置のうちの何れのファクシミリ装置であるかを示す通信方式情報と、を対応付けて記憶する通信方式記憶部と、
前記通信速度計測部で計測されたファクシミリ通信の通信速度が予め定められた速度閾値よりも高速である場合は、当該通信先のファクシミリ装置の宛先情報とＩＰファクシミリ装置であることを示す通信方式情報とを対応付けて前記通信方式記憶部に記憶し、前記通信速度計測部で計測されたファクシミリ通信の通信速度が前記速度閾値よりも低速である場合は、当該通信先のファクシミリ装置の宛先情報と回線網ファクシミリ装置であることを示す通信方式情報とを対応付けて前記通信方式記憶部に記憶する通信方式記憶制御部と、
前記ＩＰ電話機による音声通信中に、前記開始指示受付部によってファクシミリ通信の開始指示が受け付けられた場合に、過去のファクシミリ通信時に前記通信方式記憶制御部によって前記通信方式記憶部に記憶された、当該ファクシミリ通信の通信先の宛先情報に対応する通信方式情報が回線網ファクシミリ装置を示すときは、当該音声通信の終了後、前記ＩＰファクシミリ通信部にファクシミリ通信させ、
通信方式記憶部に記憶されている、当該ファクシミリ通信の通信先の宛先情報に対応する通信方式情報がＩＰファクシミリ装置を示すときは、当該音声通信を継続し、前記ＩＰファクシミリ通信部にファクシミリ通信させる手動送信制御部と、
を備えるＩＰファクシミリ装置である。
【００１２】
この発明では、ＩＰ電話機による音声通信中にファクシミリ通信の開始指示が受け付けられた場合に、過去のファクシミリ通信時に通信方式記憶制御部によって通信方式記憶部に記憶された通信先の宛先情報に対応する通信方式情報に基づいて、通信先が回線網ファクシミリ装置であるときは、当該音声通信の終了後にＩＰファクシミリ通信部によってファクシミリ通信が行われるが、通信先がＩＰファクシミリ装置であるときは、当該音声通信を継続したまま、ＩＰファクシミリ通信部によってファクシミリ通信が行われる。
【００１３】
つまり、過去のファクシミリ通信時に通信方式記憶制御部によって通信先の宛先情報に対応する通信方式情報が通信方式記憶部に記憶されるため、通信先のファクシミリ装置の宛先情報と、当該通信先のファクシミリ装置が回線網ファクシミリ装置及びＩＰファクシミリ装置のうちの何れのファクシミリ装置であるかを示す通信方式情報とを、ユーザーが予め通信方式記憶部に記憶する手間を回避することができ、効率よく通信先の宛先情報に対応する通信方式情報を記憶することができる。
【００１４】
また、ＩＰ電話機による音声通信中にファクシミリ通信の開始指示が受け付けられた場合に、通信方式記憶制御部によって通信方式記憶部に記憶された、通信先の宛先情報に対応する通信方式情報を用いて、通信先がＩＰファクシミリ装置であると判断されたときには、音声通信を継続したままファクシミリ通信を行うことができるため、回線網ファクシミリ装置における手動送信に比して、音声通信とファクシミリ通信とを同時に実行できる点で利便性が向上された手動送信を実行することができる。
【００１５】
また、請求項２に記載の発明は、請求項１に記載のＩＰファクシミリ装置であって、前記開始指示受付部は、更に、前記宛先情報受付部で宛先情報が受け付けられることがないまま、前記ＩＰファクシミリ通信部によるファクシミリ通信の開始指示を受け付け、
前記手動送信制御部は、前記ＩＰ電話機による音声通信中に、前記宛先情報受付部で宛先情報が受け付けられることがないまま、前記開始指示受付部によってファクシミリ通信の開始指示が受け付けられた場合は、当該音声通信先の電話機を備えたファクシミリ装置の宛先情報を、当該ファクシミリ通信の通信先の宛先情報として設定する。
【００１６】
この発明では、手動送信制御部は、ＩＰ電話機による音声通信中に、宛先情報受付部で宛先情報が受け付けられることがないまま、開始指示受付部によってファクシミリ通信の開始指示が受け付けられた場合には、当該音声通信先の電話機を備えたファクシミリ装置の宛先情報をファクシミリ通信の通信先の宛先情報として設定する。
【００１７】
このため、当該ＩＰファクシミリ装置で手動送信を行う場合であって、音声通信先の電話機を備えたファクシミリ装置をファクシミリ通信の通信先とするときは、当該ファクシミリ装置の宛先情報を入力する手間を軽減することができる。
【発明の効果】
【００１８】
本発明によれば、通信先のファクシミリ装置の通信方式情報を効率よく記憶することができ、当該記憶された通信方式情報を用いて回線網ファクシミリ装置における手動送信に比して利便性が向上された手動送信を実行することができるＩＰファクシミリ装置を提供することが可能になる。
【図面の簡単な説明】
【００１９】
【図１】本発明に係るＩＰファクシミリ装置を含むネットワーク通信システムの構成図である。
【図２】ＩＰファクシミリ装置の内部構成の概略を示すブロック図である。
【図３】ＩＰファクシミリ装置における手動送信の前半の動作を示すフローチャートである。
【図４】ＩＰファクシミリ装置における手動送信の後半の動作を示すフローチャートである。
【発明を実施するための形態】
【００２０】
図１に示すように、ネットワーク通信システム９は、ＩＰ（Internet Protocol）ネットワーク３にＩＰファクシミリ装置１が接続され、また、中継装置５を介してＩＰネットワーク３に接続された電話回線網４に、本発明に係る回線網ファクシミリ装置としてのＧ３（Group3）ファクシミリ装置２が接続されて構成されている。
【００２１】
ネットワーク通信システム９において、ＩＰファクシミリ装置１と当該ＩＰファクシミリ装置１とは異なるＩＰファクシミリ装置１との間では、ＩＰネットワーク３を介してＩＴＵ−Ｔ勧告Ｔ．３８に準拠したファクシミリ通信が行われ、ＩＰファクシミリ装置１とＧ３ファクシミリ装置２との間では、ＩＰネットワーク３と中継装置５と電話回線網４とを介してＩＴＵ−Ｔ勧告Ｔ．３０に準拠したファクシミリ通信が行われる。尚、中継装置５では、ＩＰネットワーク３で送受信されるデータパケットと電話回線網４で送受信される音声信号とが相互に変換される。
【００２２】
また、ＩＰファクシミリ装置１に備えられた電話機と当該ＩＰファクシミリ装置１とは異なるＩＰファクシミリ装置１に備えられた電話機との間では、ＩＰネットワーク３を介して通話中の音声を示すデータパケットを送受信することによって音声通信（通話）が行われ、ＩＰファクシミリ装置１に備えられた電話機とＧ３ファクシミリ装置２に備えられた電話機との間では、中継装置５においてＩＰネットワーク３で送受信される音声データを示すデータパケットと電話回線網４で送受信される音声信号とが相互に変換され、ＩＰネットワーク３と中継装置５と電話回線網４とを介して音声通信が行われる。
【００２３】
ＩＰファクシミリ装置１は、図２に示すように、画像読取部１１と、画像形成部１２と、入力操作部１３と、画像メモリー１４と、ネットワークインターフェイス（以下、ネットワークＩ／Ｆ）１５と、ＩＰファクシミリ通信部１６と、ＩＰ電話機１７と、制御部１０と、を備えている。
【００２４】
画像読取部１１は、図略の装置本体の上面と対向する位置に、当該上面に沿って移動可能に配設されたＣＣＤ（Charge Coupled Device）ラインセンサや露光ランプ等を有する光学系ユニット（図示せず）を備えている。ＣＣＤラインセンサは、図略の駆動部によって移動可能に構成されており、装置本体の上面に載置された原稿を読み取るとき、その上面に対向する位置で当該上面に沿って移動し、原稿画像を走査しつつ取得した画像データを制御部１０へ出力する。
【００２５】
画像形成部１２は、ＩＰネットワーク３を介して他のＩＰファクシミリ装置１から受信した画像データ、又は、ＩＰネットワーク３と中継装置５と電話回線網４とを介して、Ｇ３ファクシミリ装置２から受信した画像データに基づいて、記録紙に画像を形成するものである。
【００２６】
具体的には、画像形成部１２は、感光体ドラム、感光体ドラムの周面に対向して配設された帯電部、帯電部の下流側であって感光体ドラムの周面に対向して配設された露光部、露光部の下流側であって感光体ドラムの周面に対向して配設された現像部、現像部の下流側であって感光体ドラムの周面に対向して配設されたクリーニング部等を備えた周知の構成を有する。
【００２７】
入力操作部１３は、記録紙サイズ、倍率、濃度、複写部数などの画像形成条件を入力又は表示するための液晶表示部やテンキー、ファクシミリ通信等の機能の実行開始を指示するためのスタートボタン等を有する。
【００２８】
画像メモリー１４は、ＲＡＭやフラッシュメモリー等のメモリーで構成され、画像読取部１１により読み取られた画像データを一時的に記憶したり、ＩＰネットワーク３を介して他のＩＰファクシミリ装置１から受信した画像データ、又は、ＩＰネットワーク３と中継装置５と電話回線網４とを介して、Ｇ３ファクシミリ装置２から受信した画像データを一時的に記憶したりするものである。
【００２９】
ネットワークＩ／Ｆ１５は、ＩＰネットワーク３に接続され、１００／１０００Ｂａｓｅ−Ｔ等の通信規格に従ってＩＰネットワーク３に接続されたパソコン等の外部装置との間でデータパケットの送受信を実行するための通信インターフェイス回路である。
【００３０】
ＩＰファクシミリ通信部１６は、ネットワークＩ／Ｆ１５を用いて、ＩＴＵ−Ｔ勧告Ｔ．３８に準拠してＩＰネットワーク３を介して画像データを示すデータパケットを送受信することによって、他のＩＰファクシミリ装置１との間でファクシミリ通信を行うものである。
【００３１】
また、ＩＰファクシミリ通信部１６は、ネットワークＩ／Ｆ１５を用いて、ＩＴＵ−Ｔ勧告Ｔ．３０に準拠してＩＰネットワーク３を介して画像データを示すデータパケットを中継装置５との間で送受信し、当該中継装置５においてＩＰネットワーク３で送受信される画像データを示すデータパケットと電話回線網４で送受信される音声信号とが相互に変換され、当該中継装置５と電話回線網４を介して接続されたＧ３ファクシミリ装置２との間で画像データを示す音声信号が送受信されることによって、つまり、ＩＰネットワーク３と中継装置５と電話回線網４とを介して、Ｇ３ファクシミリ装置２との間でもファクシミリ通信を行う。
【００３２】
ＩＰ電話機１７は、ネットワークＩ／Ｆ１５を用いて、ＩＰネットワーク３を介して通話中の音声を示すデータパケットを送受信することによって、他のＩＰファクシミリ装置１に備えられたＩＰ電話機１７との間で音声通信（通話）を行うものである。
【００３３】
また、ＩＰ電話機１７は、ネットワークＩ／Ｆ１５を用いて、ＩＰネットワーク３を介して通話中の音声を示すデータパケットを中継装置５との間で送受信し、当該中継装置５においてＩＰネットワーク３で送受信される音声データを示すデータパケットと電話回線網４で送受信される音声信号とが相互に変換され、当該中継装置５と電話回線網４を介して接続されたＧ３ファクシミリ装置２に備えられた電話機との間で音声信号が送受信されることによって、つまり、ＩＰネットワーク３と中継装置５と電話回線網４とを介して、Ｇ３ファクシミリ装置２に備えられた電話機との間でも音声通信を行う。
【００３４】
制御部１０は、制御プログラムやＩＰファクシミリ装置１の各種設定情報を記憶するためのフラッシュメモリー等の不揮発性メモリーや一時的にデータを記憶するためのＲＡＭ（Random Access Memory）等のメモリーや、制御プログラムをメモリーから読み出して実行するＣＰＵ等が内蔵されたマイクロコンピュータからなり、ＣＰＵによって制御プログラムを実行することによって、ＩＰファクシミリ装置１全体の動作制御を司る。
【００３５】
以下では、制御部１０が、宛先情報受付部１０１と、開始指示受付部１０２と、通信速度計測部１０３と、通信方式記憶部１０４と、通信方式記憶制御部１０５と、手動送信制御部１０６として動作する態様について詳述する。
【００３６】
宛先情報受付部１０１は、例えば、入力操作部１３を介してユーザーから入力された、ＩＰファクシミリ通信部１６によるファクシミリ通信の通信先としてファクシミリ装置の宛先情報（例えば、電話番号やＩＰアドレス等）を受け付ける。
【００３７】
尚、宛先情報の入力方法は、これに限定する趣旨ではなく、例えば、ネットワークＩ／Ｆ１５を介してＩＰネットワーク３に接続されたパソコン等の外部装置から送信された宛先情報を示すデータパケットを受信することによって、宛先情報を入力する構成であってもよい。
【００３８】
開始指示受付部１０２は、例えば、入力操作部１３を介してユーザーから入力された、宛先情報受付部１０１で受け付けられた宛先情報が示すファクシミリ装置との間でのＩＰファクシミリ通信部１６によるファクシミリ通信の開始指示を受け付ける。
【００３９】
尚、ファクシミリ通信の開始指示の入力方法は、これに限定する趣旨ではなく、例えば、ネットワークＩ／Ｆ１５を介してＩＰネットワーク３に接続されたパソコン等の外部装置から送信されたファクシミリ通信の開始指示を示すデータパケットを受信することによって、ファクシミリ通信の開始指示を入力する構成であってもよい。
【００４０】
通信速度計測部１０３は、ＩＰファクシミリ通信部１６によるファクシミリ通信の通信速度を計測する。具体的には、通信速度計測部１０３は、宛先情報受付部１０１で受け付けられた宛先情報が示すファクシミリ装置との間でのファクシミリ通信の開始指示が開始指示受付部１０２によって受け付けられた時点から、ＩＰファクシミリ通信部１６によって例えばＩＴＵ−Ｔ勧告Ｔ．３８又はＩＴＵ−Ｔ勧告Ｔ．３０に準拠して画像データの送信が完了する時点までの経過時間を計測し、当該送信した画像データのデータ量を当該計測した経過時間で除算することによって、単位時間当たりに通信可能な画像データ量を算出し、これを通信速度とする。
【００４１】
尚、通信速度の計測方法は、これに限定する趣旨ではなく、例えば、通信速度計測部１０３は、ＩＰファクシミリ通信部１６によって、ＩＴＵ−Ｔ勧告Ｔ．３０又はＩＴＵ−Ｔ勧告Ｔ．３８に準拠して、画像データを送受信する前に、受信側のファクシミリ装置から送信される受信側のファクシミリ装置の伝送能力を通知するためのＤＩＳ信号と、送信側のファクシミリ装置から送信される当該受信側のファクシミリ装置から受信した伝送能力を示すＤＩＳ信号に基づいて決定した通信速度を通知するためのＤＣＳ信号と、のやり取りによって決定された通信速度をＲＡＭに記憶し、これを通信速度とするように構成してもよい。
【００４２】
通信方式記憶部１０４は、フラッシュメモリー等の不揮発性メモリーで構成され、通信先のファクシミリ装置の宛先情報と、当該通信先のファクシミリ装置がＧ３ファクシミリ装置２及びＩＰファクシミリ装置１のうちの何れのファクシミリ装置であるかを示す通信方式情報と、を対応付けて記憶する。
【００４３】
通信方式記憶制御部１０５は、ＩＰファクシミリ通信部１６によってファクシミリ通信が実行される場合に、通信速度計測部１０３で計測されたファクシミリ通信の通信速度が予め定められた速度閾値よりも高速である場合は、当該通信先のファクシミリ装置の宛先情報とＩＰファクシミリ装置１であることを示す通信方式情報とを対応付けて通信方式記憶部１０４に記憶する。
【００４４】
一方、通信方式記憶制御部１０５は、通信速度計測部１０３で計測されたファクシミリ通信の通信速度が上記の予め定められた速度閾値よりも低速である場合は、当該通信先のファクシミリ装置の宛先情報とＧ３ファクシミリ装置２であることを示す通信方式情報とを対応付けて通信方式記憶部１０４に記憶する。
【００４５】
尚、予め定められた速度閾値は、ＩＰファクシミリ装置１の製品出荷前の試験運転等による実験値に基づいて予め定められ、フラッシュメモリー等の不揮発性メモリーに予め記憶されている。
【００４６】
また、通信方式記憶制御部１０５は、ＩＰファクシミリ通信部１６によってファクシミリ通信が実行される場合に、既に通信方式記憶部１０４に当該ファクシミリ通信の通信先のファクシミリ装置の宛先情報に対応するデータが記憶されているときは、例えば、当該通信先のファクシミリ装置が機種変更されて通信方式が切り替わった場合等、入力操作部１３を介してユーザーから強制的に当該記憶されているデータを更新する指示が入力されない限り、上記の通信方式情報を通信方式記憶部１０４に記憶しないように構成して、無駄に通信方式情報を更新することを回避してもよい。
【００４７】
手動送信制御部１０６は、ＩＰ電話機１７による音声通信中に、開始指示受付部１０２によってファクシミリ通信の開始指示が受け付けられた場合に、過去のファクシミリ通信時に通信方式記憶制御部１０５によって通信方式記憶部１０４に記憶された、当該ファクシミリ通信の通信先の宛先情報に対応する通信方式情報がＧ３ファクシミリ装置２を示すときは、当該音声通信の終了後、ＩＰファクシミリ通信部１６にファクシミリ通信させる。
【００４８】
一方、手動送信制御部１０６は、ＩＰ電話機１７による音声通信中に、開始指示受付部１０２によってファクシミリ通信の開始指示が受け付けられた場合に、通信方式記憶部１０４に記憶されている、当該ファクシミリ通信の通信先の宛先情報に対応する通信方式情報がＩＰファクシミリ装置１を示すときは、当該音声通話を継続し、ＩＰファクシミリ通信部１６にファクシミリ通信させる。
【００４９】
以下では、図３及び図４を用いて、ＩＰファクシミリ装置１における手動送信の動作について説明する。尚、ＩＰファクシミリ装置１における手動送信とは、ＩＰ電話機１７による通話中に、ＩＰファクシミリ通信部１６によるファクシミリ通信の開始指示を入力し、当該通話終了後に当該入力されていた開始指示に従ってファクシミリ通信を実行させる、又は、当該通話を継続したまま、当該入力された開始指示に従ってファクシミリ通信を実行させる機能を示す。
【００５０】
ユーザーによって、ＩＰ電話機１７による通話が開始された後に（Ｓ１）、原稿が装置本体の上面に載置され（Ｓ２）、そして、宛先情報受付部１０１によってファクシミリ通信先のファクシミリ装置の宛先情報の入力が受け付けられた後（Ｓ３）、開始指示受付部１０２によってファクシミリ通信の開始指示が受け付けられると（Ｓ４；ＹＥＳ）、手動送信制御部１０６は、当該開始指示が受け付けられた時点を示す時刻をＲＡＭに記憶し（Ｓ５）、ステップＳ２で載置された原稿を読み取る指示を画像読取部１１に送出する。
【００５１】
当該指示の下、画像読取部１１によって原稿が読み取られて生成された画像データが制御部１０に出力されると（Ｓ６）、手動送信制御部１０６は、当該制御部１０に入力された画像データを画像メモリー１４に記憶した後（Ｓ７）、ステップＳ３で受け付けられた宛先情報に対応付けられた通信方式情報が通信方式記憶部１０４に記憶されているか否かを判断する（Ｓ８）。
【００５２】
ここで、手動送信制御部１０６は、ステップＳ３で受け付けられた宛先情報に対応付けられた通信方式情報が通信方式記憶部１０４に記憶されていないものと判断すると（Ｓ８；ＮＯ）、通話を終了する指示をＩＰ電話機１７に送出して、当該指示によって強制的にＩＰ電話機１７による音声通信を終了させる、又は、例えば、ＩＰ電話機１７の通話終了ボタンが押下される、若しくは、受話器が置かれる等のユーザーによるＩＰ電話機１７の操作によって通話が終了されるまで待機する。
【００５３】
ＩＰ電話機１７による通話が終了すると（Ｓ９）、手動送信制御部１０６は、ステップＳ７で画像メモリー１４に記憶した画像データをステップＳ３で受け付けられた宛先情報が示すファクシミリ装置に送信する指示をＩＰファクシミリ通信部１６に送出する。
【００５４】
当該指示の下、ＩＰファクシミリ通信部１６によってファクシミリ通信が実行されると（Ｓ１０）、手動送信制御部１０６は、当該ファクシミリ通信の通信速度を計測する指示を通信速度計測部１０３に送出し、当該指示の下、通信速度計測部１０３は、ステップＳ５でＲＡＭに記憶された当該ファクシミリ通信の開始時点を示す時刻を読み出して、当該読み出した時刻からＩＰファクシミリ通信部１６による画像データの送信が完了する時点までの経過時間を計測し、ステップＳ７で画像メモリー１４に記憶された画像データのデータ量を当該計測した経過時間で除算することによって、単位時間当たりに通信可能な画像データ量を算出し、これを通信速度としてＲＡＭに記憶する（Ｓ１１）。
【００５５】
次に、手動送信制御部１０６は、ステップＳ３で受け付けられた宛先情報と対応付けて通信方式情報を記憶する指示を通信方式記憶制御部１０５に送出し、当該指示の下、通信方式記憶制御部１０５は、フラッシュメモリー等の不揮発性メモリーに予め記憶されている速度閾値を読み出し、ステップＳ１１でＲＡＭに記憶されたファクシミリ通信の通信速度が当該速度閾値よりも高速である場合は、ステップＳ３で受け付けられた宛先情報とＩＰファクシミリ装置１であることを示す通信方式情報とを対応付けて通信方式記憶部１０４に記憶する（Ｓ１２）。
【００５６】
一方、通信方式記憶制御部１０５は、ステップＳ１１でＲＡＭに記憶されたファクシミリ通信の通信速度が当該速度閾値よりも低速である場合は、ステップＳ３で受け付けられた宛先情報とＧ３ファクシミリ装置２であることを示す通信方式情報とを対応付けて通信方式記憶部１０４に記憶する（Ｓ１２）。そして、手動送信制御部１０６は、ＩＰファクシミリ通信部１６によるファクシミリ通信が終了すると処理を終了させる。
【００５７】
一方、ステップＳ８において、手動送信制御部１０６は、ステップＳ３で受け付けられた宛先情報に対応付けられた通信方式情報が通信方式記憶部１０４に記憶されているものと判断した場合に（Ｓ８；ＹＥＳ）、通信方式記憶部１０４に記憶されているステップＳ３で受け付けられた宛先情報に対応付けられた通信方式情報がＧ３ファクシミリ装置２を示すときは（Ｓ１３；ＹＥＳ）、通話を終了する指示をＩＰ電話機１７に送出して、当該指示によって強制的にＩＰ電話機１７による音声通信を終了させる、又は、例えば、ＩＰ電話機１７の通話終了ボタンが押下される、若しくは、受話器が置かれる等のユーザーによるＩＰ電話機１７の操作によって通話が終了されるまで待機する。
【００５８】
そして、ＩＰ電話機１７による通話が終了すると（Ｓ１４）、手動送信制御部１０６は、ステップＳ７で画像メモリー１４に記憶した画像データをステップＳ３で受け付けられた宛先情報が示すファクシミリ装置に送信する指示をＩＰファクシミリ通信部１６に送出し、当該指示の下、ＩＰファクシミリ通信部１６はファクシミリ通信を実行する（Ｓ１５）。そして、手動送信制御部１０６は、ＩＰファクシミリ通信部１６によるファクシミリ通信が終了すると処理を終了させる。
【００５９】
尚、ステップＳ１３において、通信方式記憶部１０４に記憶されているステップＳ３で受け付けられた宛先情報に対応付けられた通信方式情報がＩＰファクシミリ装置１を示すときは（Ｓ１３；ＮＯ）、ＩＰ電話機１７による通話を継続したまま、ステップＳ７で画像メモリー１４に記憶した画像データをステップＳ３で受け付けられた宛先情報が示すファクシミリ装置に送信する指示をＩＰファクシミリ通信部１６に送出し、当該指示の下、ＩＰファクシミリ通信部１６はファクシミリ通信を実行する（Ｓ１６）。そして、手動送信制御部１０６は、ＩＰファクシミリ通信部１６によるファクシミリ通信の終了後、ＩＰ電話機１７による通話が終了されるまで待機し（Ｓ１７）、ユーザーによるＩＰ電話機１７の操作によって通話が終了されると（Ｓ１７；ＹＥＳ）、処理を終了させる。
【００６０】
このように、本構成によれば、ＩＰ電話機１７による音声通信中にファクシミリ通信の開始指示が受け付けられた場合に、過去のファクシミリ通信時に通信方式記憶制御部１０５によって通信方式記憶部１０４に記憶された通信先の宛先情報に対応する通信方式情報に基づいて、通信先がＧ３ファクシミリ装置２であるときは、当該音声通信の終了後にＩＰファクシミリ通信部１６によってファクシミリ通信が行われるが、通信先がＩＰファクシミリ装置１であるときは、当該音声通信を継続したまま、ＩＰファクシミリ通信部１６によってファクシミリ通信が行われる。
【００６１】
つまり、過去のファクシミリ通信時に通信方式記憶制御部１０５によって通信先の宛先情報に対応する通信方式情報が通信方式記憶部１０４に記憶されるため、通信先のファクシミリ装置の宛先情報と、当該通信先のファクシミリ装置がＧ３ファクシミリ装置２及びＩＰファクシミリ装置１のうちの何れのファクシミリ装置であるかを示す通信方式情報とを、ユーザーが予め通信方式記憶部１０４に記憶する手間を回避することができ、効率よく通信先の宛先情報に対応する通信方式情報を記憶することができる。
【００６２】
また、ＩＰ電話機１７による音声通信中にファクシミリ通信の開始指示が受け付けられた場合に、通信方式記憶制御部１０５によって通信方式記憶部１０４に記憶された、通信先の宛先情報に対応する通信方式情報を用いて、通信先がＩＰファクシミリ装置１であると判断されたときには、音声通信を継続したままファクシミリ通信を行うことができるため、Ｇ３ファクシミリ装置２における手動送信に比して、音声通信とファクシミリ通信とを同時に実行できる点で利便性が向上された手動送信を実行することができる。
【００６３】
尚、開始指示受付部１０２は、更に宛先情報受付部１０１で宛先情報が受け付けられることがないまま、ＩＰファクシミリ通信部１６によるファクシミリ通信の開始指示を受け付けるように構成してもよい。
【００６４】
これに合わせて、手動送信制御部１０６は、ステップＳ１でＩＰ電話機１７による音声通信中に、ステップＳ３で宛先情報受付部１０１で宛先情報が受け付けられることがないまま、当該開始指示受付部１０２によってファクシミリ通信の開始指示が受け付けられた場合は、当該音声通信先の電話機を備えたファクシミリ装置の宛先情報を、当該ファクシミリ通信の通信先の宛先情報として設定して、ステップＳ５以降の処理を実行するように構成してもよい。
【００６５】
本構成によれば、手動送信を行う場合であって、音声通信先の電話機を備えたファクシミリ装置をファクシミリ通信の通信先とするときは、当該ファクシミリ装置の宛先情報を入力する手間を軽減することができる。
【００６６】
尚、本発明は、上述の実施形態の構成に限られず種々の変形が可能である。図１乃至図４に示した構成及び処理は、本発明に係る実施形態の例示に過ぎず、本発明を前記実施形態に限定する趣旨ではない。
【００６７】
例えば、本発明に係る回線網ファクシミリ装置は、Ｇ３ファクシミリ装置２に限らず、ＩＴＵ−Ｔ勧告Ｔ．３０に準拠して、電話回線網を介してファクシミリ通信可能な、Ｇ１（Group1)ファクシミリ装置又はＧ２（Group2）ファクシミリ装置によって構成してもよい。
【００６８】
また、手動送信制御部１０６は、ステップＳ７の実行後であってステップＳ８の実行前に、当該ステップＳ３で受け付けられた宛先情報がステップＳ１におけるＩＰ電話機１７による通話先の電話機を備えたファクシミリ装置の宛先情報と異なるか否かを判断するように構成してもよい。
【００６９】
そして、手動送信制御部１０６は、当該受け付けられた宛先情報がＩＰ電話機１７による通話先の電話機を備えたファクシミリ装置の宛先情報と異なる宛先情報であると判断した場合は、ステップＳ３で受け付けられた宛先情報が示すファクシミリ装置がＩＰファクシミリ装置１又はＧ３ファクシミリ装置２の何れであっても、ＩＰネットワーク３を介してＩＰ電話機１７による音声通信とＩＰファクシミリ通信部１６によるファクシミリ通信とを同時に実行可能であるため、ステップＳ８及びステップＳ１３における判断処理を省略して、ステップＳ１６の処理に移行させ、音声通信を継続したまま当該受け付けられていた宛先情報が示すファクシミリ装置との間でＩＰファクシミリ通信部１６にファクシミリ通信させるように構成してもよい。
【符号の説明】
【００７０】
１      ＩＰファクシミリ装置
２      Ｇ３ファクシミリ装置（回線網ファクシミリ装置）
３      ＩＰネットワーク
４      電話回線網
５      中継装置
９      ネットワーク通信システム
１６    ＩＰファクシミリ通信部
１７    ＩＰ電話機
１０１  宛先情報受付部
１０２  開始指示受付部
１０３  通信速度計測部
１０４  通信方式記憶部
１０５  通信方式記憶制御部
１０６  手動送信制御部
【図１】
0005520866.tif 000002
【図２】
0005520866.tif 000003
【図３】
0005520866.tif 000004
【図４】
0005520866.tif 000005